(57)【要約】      （修正有）【課題】扉にロック機構を取付けなくても折戸を閉じることでロックされ、また扉にロック機構を取付けた場合でもロックツマミが外に露出しない扉付き折戸装置を提供する。【解決手段】枠体に２枚のパネルを繋いで縦桟に折畳み可能に取付けた折戸２と１枚パネルを反対側縦桟に揺動可能に取付けた扉３とが組み合わされた扉付き折戸装置であり、折戸２の先端框８の上下端部に戸車１６を設けて枠体の上下桟のガイド１８に沿ってスライドすることが出来、扉３は先端側にアーム１９を連結すると共にアーム先端は上桟又は下桟に設けたガイドに沿ってスライドすることが出来、さらに折戸及び扉が閉じた際には互いに噛み合う凹部及び凸部を先端框８と扉框に形成している。【選択図】図４
0003191017.tif 000002
【実用新案登録請求の範囲】
【請求項１】
枠体に２枚のパネルを繋いで縦桟に折畳み可能に取付けた折戸と１枚パネルを反対側縦桟に揺動可能に取付けた扉とが組み合わされた扉付き折戸装置において、上記折戸の先端にはスライダーを設けて枠体の上下桟のガイドに沿ってスライドすることが出来、そして、扉にはアームを連結すると共に該アーム先端は上桟又は下桟に設けたガイドに沿ってスライドすることが出来、さらに折戸及び扉が閉じた際には互いに噛み合う凹部及び凸部を先端框に形成したことを特徴とする扉付き折戸装置。
【請求項２】
上記扉の先端側框にロック機構の操作部を取付けた請求項１記載の扉付き折戸装置。
【考案の詳細な説明】
【技術分野】
【０００１】
本考案は扉と折戸を組合せたもので、通常の開閉時には折戸が用いられた扉付き折戸装置に関するものである。
【背景技術】
【０００２】
折戸とは２枚のパネルが継手を介して折畳まれて間口を開口することが出来るように構成され、扉は継手を介して揺動できるようにしている。図５は従来の一般的な扉付き折戸装置を表している外観図であり、折戸（イ）と扉（ロ）は長方形をした枠体（ハ）に装着されている。そして、同図の（ａ）は折戸（イ）及び扉（ロ）が閉じている場合、（ｂ）は折戸（イ）及び扉（ロ）が開いている場合をそれぞれ示している。
【０００３】
上記折戸（イ）は２枚のパネル（ニ）、（ニ）が継手（ホ）を介して折畳み出来るように連結した構造であり、片方のパネル（ニ）は枠体（ハ）の縦桟（ヘ）に継手を介して取付けられ、また、扉（ロ）は枠体（ハ）の反対側縦桟（ヘ）に継手を介して取付けられている。その為に、折戸（イ）及び扉（ロ）はそれぞれが独立して間口（ト）の一部を開閉することが出来る。
【０００４】
一般に間口（ト）に折戸（イ）を用いる場合には左右対を成して装着される。その為に、間口幅寸法が大きな場合はよいが、間口幅寸法が小さくなった場合には折戸（イ）を構成する各パネル（ニ）、（ニ）・・・の幅寸法を小さくしなくてはならない。その結果、パネル（ニ）に嵌っているガラスの面積が少なくなり、すなわち、パネル（ニ）が細く成って折戸全体が窮屈に感じる。
【０００５】
そのような理由からしても、間口（ト）に対をなして折戸（イ）、（イ）を装着するよりも、図５に示すように折戸（イ）と扉（ロ）を組み合わせた構造の方が窮屈感がなくて好ましい。図６（ａ）はサッシ幅が広い間口（ト）に一対の折戸（イ）、（イ）を装着した場合、（ｂ）はサッシ幅が狭い間口（ト）に一対の折戸（イ）、（イ）を装着した場合、そして（ｃ）はサッシ幅が狭い間口（ト）に折戸（イ）と扉（ロ）を装着した場合の概略横断面を示している。
【０００６】
このような３タイプを比較すると、（ｃ）に示すサッシ幅が狭い間口（ト）であっても折戸（イ）と扉（ロ）を組み合わせて装着することで、各パネル（ニ）のガラス面積は（ａ）に示す場合のようにサッシ幅が大きな間口（ト）の場合と同じと成って窮屈感は解消される。
【０００７】
図７は同じサッシ幅の間口寸法として折戸（イ）又は扉（ロ）を開いた場合の開口度を示している。図７（ａ）は間口（ト）に折戸（イ）と扉（ロ）を組み合わせた構造であって、扉（ロ）を開いている場合、（ｂ）は間口（ト）に折戸（イ）、（イ）を対を成して装着し、片方の折戸（イ）を開いた場合、（ｃ）は間口（ト）に折戸（イ）と扉（ロ）を組み合わせて装着し、折戸（イ）を折り畳んで開いた場合をそれぞれ示している。このような場合、間口（ト）の開口度はａ＜ｂ＜ｃとなる。
【０００８】
すなわち、同じ幅の間口（ト）であれば折戸（イ）と扉（ロ）の組合せ構造にすると共に、折戸（イ）を折り畳んで開く方が開口度は最も大きく取れる。しかし、常日頃開閉するには扉（ロ）の方が便利である為に、開口度が狭くても扉（ロ）が使用される場合も多い。そこで、折戸（イ）と扉（ロ）を組み合わせた構造の場合、折戸（イ）を開閉する為のハンドル（チ）を取付け、扉（ロ）にも開閉操作ハンドル（リ）とロック機構を操作するロックツマミ（ヌ）が備わっている。図８は折戸（イ）と扉（ロ）に設けたハンドル（チ）、（リ）及びロックツマミ（ヌ）を示している。
【０００９】
例えば、特開２００２−３３９６６３号に係る「折戸および建具」は、出入りに支障を生ずることなく、必要に応じて出入口を広狭自在に且つ簡単に開放することができるようにしている。そこで、枠体と、枠体に開閉自在に取り付けられた折戸本体と、枠体に開閉自在に取り付けられると共に、折戸本体に対し親子扉関係を為す子扉体とを備え、折戸本体は、枠体の左右一方の縦枠側端を基端として室内側に折り込まれることで開放され、子扉体は枠体の左右他方の縦枠側端を基端として室内側に回動することで開放される。
【００１０】
特開平１１−３０３５１８号に係る「浴室構造」も折戸と扉を組み合わせて構成している。
【特許文献１】特開２００２−３３９６６３号に係る「折戸および建具」
【特許文献２】特開平１１−３０３５１８号に係る「浴室構造」
【考案の開示】
【考案が解決しようとする課題】
【００１１】
このように、折戸と扉を組み合わせた間口の開閉装置は色々知られている。ところで、従来の扉付き折戸の場合、通常では折戸が開閉されて必要に応じて扉を開くといった使い方と成っているが、普通は開かない扉はロックされ、該ロック機構のツマミは外に露出している。本考案が解決しようとする課題はこの問題点であり、扉にロック機構を取付けなくても折戸を閉じることでロックされ、また扉にロック機構を取付けた場合であってもロックツマミが外に露出しない構造とした扉付き折戸装置を提供する。
【課題を解決するための手段】
【００１２】
本考案に係る扉付き折戸装置は、その基本構造は従来と同じく折戸と扉を組み合わせて構成され、四角形の枠体に装着されている。該折戸は２枚のパネルが継手を介して折畳み出来るように連結された状態で枠体の片側縦桟に継手を介して取付けられている。そして扉は１枚のパネルで構成されて枠体の反対側縦桟に取付けられている。
【００１３】
本考案の扉付き折戸装置では、折戸が伸長して閉じるならば扉が開かないようにロックされ、その為に折戸の先端側パネルの框と扉の先端框とが互いに係合することが出来るように凹部と凸部を形成している。従って、凹部と凸部が互いに係合することで扉の揺動が阻止されて開かないようになる。また、扉にロック機構を備える場合には扉先端の框にロック機構の操作部が嵌って外部に露出しない構造としている。
【００１４】
ここで、操作部は指で操作することでロック機構が上下動することが出来る構造とし、降下することで下桟に設けたロック穴に嵌って扉は開かないようにロックされる。ただし、具体的なロック機構並びに操作部の構造は限定しないことにする。一方、折戸の先端側パネルには戸車が取付けられ、この戸車は枠体の上下桟に形成したガイドに嵌ってガイドされるが、扉を開く際の開き度を規制する為に連結して取付けたアーム先端のスライダーはこのガイド溝に嵌って移動出来るようにしている。
【考案の効果】
【００１５】
本考案の扉付き折戸装置は折戸と扉が組み合わされて枠体に装着され、該折戸が伸長するならば、扉の框と係合することで該扉を開くことが出来なくなる。すなわち、扉に特別なロック機構を取付けなくても単独では開かないようにロックされ、折戸が折り畳まれない限り扉を開くことは出来ない。従って、扉にはロック機構を取付けない為に、少なくともその分だけは簡素化されて製作コスト並びに取付けコストは安くなる。
【００１６】
また、扉にロック機構及びその操作部を取付けることも出来、この場合には、折戸とは別に独立してロックすることが出来るように構成可能であるが、この場合、例えば扉框に凸部を設け、該凸部に操作部を嵌めるならば、ロック機構の操作部が外に露出することはなく、扉付き折戸の外観はスッキリする。そして、扉の開き度を規制する為に連結するアームは折戸が開閉するレール溝にスライダーが遊嵌することで、別のガイドを設ける必要はない。
【図面の簡単な説明】
【００１７】
【図１】扉付き折戸装置の外観を示す横断面図で、（ａ）は折戸と扉が閉じている場合、（ｂ）は折戸が僅かに折畳まれた場合を示している。
【図２】（ａ）折戸の先端框と扉框が互いに係合している場合、（ｂ）は折戸の先端框が扉框から離れた場合。
【図３】扉框の凸部に操作部を嵌めて取付けた場合であって、（ａ）は折戸の先端框と扉框が互いに係合して場合、（ｂ）は折戸の先端框が扉框から離れた場合。
【図４】折戸と扉の開閉機構。
【図５】従来の一般的な扉付き折戸装置。
【図６】間口に折戸を対をなして装着した場合と折戸と扉を装着した場合の概略横断面図。
【図７】（ａ）は扉付き折戸装置において扉を開いた場合の開口度、（ｂ）は折戸を対をなして装着した場合で、片方の折戸を折畳んで開いた場合の開口度、（ｃ）は扉付き折戸装置の折戸を折畳んで開いた場合の開口度の比較を示している。
【図８】折戸と扉に取付けたハンドルとロックツマミ。
【考案を実施するための形態】
【００１８】
図１は本考案の扉付き折戸装置の概略を示す横断面図である。その基本構造並びに基本形態は前記図５に示した扉付き折戸装置と同じであって、四角形の枠体１には折戸２と扉３が装着されている。同図の（ａ）は折戸２が伸長し、扉３が閉じている場合で、枠体１で構成される間口５は閉じている。また、同図の（ｂ）は折戸２を一部折畳まれている状態を示している。
【００１９】
ところで、折戸２は２枚のパネル４ａ，４ｂが継手６を介して折畳み出来るように連結して構成され、そして、片方のパネル４ａは枠体１の縦桟７に継手を介して繋がっている。そこで、折戸２が折畳まれる時は両パネル４ａ，４ｂを繋いでいる継手６が外へはみ出し、先端側パネル４ｂの先端框８は上下桟に設けているガイド溝に沿ってスライドすることが出来る。その為に上下端には戸車が取付けられ、この戸車は上下桟のガイド溝に遊嵌されている。一方、扉３は１枚パネル９にて構成されて枠体１の縦桟１０に継手を介して揺動可能に取付けられている。ここで、扉３を構成するパネル９は折戸２のパネル４を兼用することも可能である。
【００２０】
本考案の扉付き折戸装置では、該扉３は通常閉じており、折戸２が伸長して閉じるならば、図１（ａ）のように先端框８は扉框１１に当接する。図２（ａ）は折戸２の先端框８と扉框１１とが当接した場合で、図１のＡ部拡大図を示しているが、先端框８に設けた凹部１２には扉框１１に形成した凸部１３が嵌合している。従って、扉３が揺動して開くことは出来なくなる。図２（ｂ）に示すように折戸２が折畳まれるならば、先端框８は矢印方向へ後退し、凹部１２は凸部１３から外れることになり、その結果、扉３は矢印方向へ揺動して開くことが出来る。
【００２１】
図３は扉框１１に設けた凸部１３にロック機構１４の操作部１５を取付けた場合である。勿論、先端框８には凹部１２が設けられ、扉框１１の凸部１３は凹部１２に嵌るように成っているが、この扉框１１の凸部１３にロック機構１４の操作部１５が取付けられているが、外からは見えない構造としている。該操作部１５は指で上下動することが出来、扉３を閉じて下方へ押し下げるならばロック機構１４の下端は枠体１の下桟に形成しているロック穴に嵌ることが出来、該扉３は開かないようにロックされる。
【００２２】
ただし、本考案はロック機構１４の並びに操作部１５の具体的な構造は特に限定することはしない。例えば、操作部１５にバネ力を付勢したツメを取付けることで、扉３を開いた時にロック機構１４が落下しないように出来る。このように、扉３にロック機構１４を取付けないで折戸２を閉じると同時にロックされ、またロック機構１４を取付けた場合であっても、操作部１５が外に露出しない構造とすることで大きな防犯効果が得られる。
【００２３】
ところで、図３においてロック機構１４の操作部１５を扉框１１に取付ける場合には凸部１３としているが、扉框１１を凹部１２とし、ロック機構１４の操作部１５を設けることは自由である。すなわち、扉側と折戸側で凹部１２と凸部１３が互いに係合することで扉３が開かないようにロックされる。
【００２４】
図４は枠体１に装着されている折戸２及び扉３が開閉する際のガイド機構を表している具体例である。同図は折戸２が折畳まれ、扉３は開いた状態で間口５は大きく開口している。ところで、折戸２の先端框８にはその上下端に戸車１６が取付けられ、この戸車１６は枠体１の上桟及び下桟１７に形成したガイド溝１８に遊嵌している。すなわち、戸車１６がガイド溝１８に沿ってスライドすることで折戸２は開閉することが出来る。同図の（ｂ）は（ａ）のＢ部拡大図を示している。
【００２５】
また、扉３は縦桟に継手を介して取付けられて揺動することが出来るが、扉３にはアーム１９が連結し、該アーム先端にはスライダー２０が取付けられている。そして、このスライダー２０は枠体１の下桟１７に設けた上記ガイド溝１８に遊嵌してスライドすることが出来る。スライダー２０の移動範囲を規制することで、扉３の開き度は該アーム１９によって拘束される。このガイド溝１８は折戸２の戸車１６が遊嵌するガイド溝１８が兼用され、別にガイド溝を形成しないことで全体の意匠性は良くなる。
【符号の説明】
【００２６】
１  枠体
２  折戸
３  扉
４  パネル
５  間口
６  継手
７  縦桟
８  先端框
９  パネル
10  縦桟
11  扉框
12  凹部
13  凸部
14  ロック機構
15  操作部
16  戸車
17  下桟
18  ガイド溝
19  アーム
20  スライダー
【図１】
0003191017.tif 000003
【図２】
0003191017.tif 000004
【図３】
0003191017.tif 000005
【図４】
0003191017.tif 000006
【図５】
0003191017.tif 000007
【図６】
0003191017.tif 000008
【図７】
0003191017.tif 000009
【図８】
0003191017.tif 000010